(57)【要約】【課題】利用者に利便性の高いハンズフリー電話装置を提供する。【解決手段】ハンズフリー通話に使用する携帯電話機を設置する設置台１を設ける。設置台１の内部に設けられたアンテナ２は、設置台１に設置された携帯電話機３０からの電波を最も強く受信する受信特性を有する。ハンズフリー装置１００からの無線接続の問い合わせに対して、複数の携帯電話機３０，４０が応答した場合には、アンテナ２で受信する無線信号の強度が最も強い携帯電話機３０を選択して、Ｂｌｕｅｔｏｏｔｈ無線通信により無線接続する。これにより、利用者は、ハンズフリー通話に使用する携帯電話機３０を設置台１に設置するだけで、ハンズフリー通話が可能となる。【選択図】図１
2004304290.tif 000002
【特許請求の範囲】
【請求項１】
ハンズフリー機能を備え、近距離無線通信を介して携帯電話機と無線接続することによりハンズフリー通話を可能とする制御手段と、
ハンズフリー通話に使用する携帯電話機を設置するための設置手段と、
前記設置手段に設置されていない携帯電話機からの無線信号よりも前記設置手段に設置された携帯電話機からの無線信号を強く受信する受信特性を有する無線信号受信手段と、
前記無線信号受信手段により受信された無線信号が複数存在する場合に、最も無線信号強度が強い携帯電話機を選択する選択手段とを備え、
前記制御手段は、所定の条件が満たされた時に前記選択手段により選択された携帯電話機と前記近距離無線通信を介して無線接続することを特徴とするハンズフリー電話装置。
【請求項２】
請求項１に記載のハンズフリー電話装置において、
前記設置手段に設置される携帯電話機の周囲を覆うように設けられる電波吸収手段をさらに備え、
前記無線信号受信手段は、前記電波吸収手段に囲まれた内部に設けられることを特徴とするハンズフリー電話装置。
【請求項３】
請求項１または２に記載のハンズフリー電話装置において、
前記設置手段に携帯電話機が設置されたことを検出する携帯電話検出手段をさらに備え、
前記所定の条件は、前記携帯電話検出手段が前記設置手段に携帯電話機が設置されたことを検出したことであることを特徴とするハンズフリー電話装置。
【請求項４】
請求項１〜３のいずれかに記載のハンズフリー電話装置において、
前記無線信号受信手段は、水平方向に指向性を有し、垂直方向の受信特性が低いスリーブアンテナまたはコリニアアンテナであることを特徴とするハンズフリー電話装置。
【請求項５】
請求項１〜４のいずれかに記載のハンズフリー電話装置において、
前記近距離無線通信は、Ｂｌｕｅｔｏｏｔｈであることを特徴とするハンズフリー電話装置。
【発明の詳細な説明】
【０００１】
【発明の属する技術分野】
本発明は、ハンズフリーにて携帯電話機を用いて通話を行うハンズフリー電話装置に関する。
【０００２】
【従来の技術】
ハンズフリー通話用の携帯電話機を優先順位とともに予め登録しておき、複数の携帯電話機の中から、優先順位に従って１台の携帯電話機を選択してハンズフリー通話を行うハンズフリー電話装置が知られている（特許文献１参照）。
【０００３】
【特許文献１】
特開２００２−２２３２８８号公報
【０００４】
【発明が解決しようとする課題】
しかしながら、従来のハンズフリー電話装置では、例えば、運転中の運転者の携帯電話機の優先順位を最も高く設定・登録していた場合に、助手席に座っている者が運転を代わる場合には、助手席に座っていた者の携帯電話機の優先順位を最も高くするように設定変更をしなければならず、利用者の利便性が高いとは言えなかった。
【０００５】
本発明は、ハンズフリー通話に使用する携帯電話機を設置手段に設置することにより、ハンズフリー通話を可能とするハンズフリー電話装置を提供するものである。
【０００６】
【課題を解決するための手段】
本発明によるハンズフリー電話装置は、近距離無線通信を介して携帯電話機と無線接続することによりハンズフリー通話を可能とする制御手段と、ハンズフリー通話に使用する携帯電話機を設置するための設置手段と、設置手段に設置されていない携帯電話機からの無線信号よりも設置手段に設置された携帯電話機からの無線信号を強く受信する受信特性を有する無線信号受信手段と、無線信号受信手段により受信された無線信号が複数存在する場合に、最も無線信号強度が強い携帯電話機を選択する選択手段とを備える。制御手段は、所定の条件が満たされた時に選択手段により選択された携帯電話機と近距離無線通信を介して無線接続することを特徴とする。
【０００７】
【発明の効果】
本発明によるハンズフリー電話装置によれば、利用者は、ハンズフリー通話に使用する携帯電話機を設置手段に設置するだけで、ハンズフリー通話を行うことができる。
【０００８】
【発明の実施の形態】
図１は、本発明によるハンズフリー電話装置の一実施の形態の構成を示す図である。一実施の形態におけるハンズフリー電話装置は、ハンズフリー装置１００と、ハンズフリー通話を行うための携帯電話機を設置するための携帯電話機設置台１とを備える。以下では、一実施の形態におけるハンズフリー電話装置を車両に搭載した例について説明する。
【０００９】
ハンズフリー通話を行うために用いられる携帯電話機３０，４０は、近距離無線通信方式の一つであるＢｌｕｅｔｏｏｔｈ（商標登録番号第４４７７９３６号：テレフオンアクチーボラゲット  エル  エム  エリクソン）を利用するためのＢｌｕｅｔｏｏｔｈモジュールを内蔵している。Ｂｌｕｅｔｏｏｔｈは、２．４Ｇｈｚの周波数帯の無線を利用し、最大約１０ｍの範囲の機器と１Ｍｂｐｓの速度で音声・データ両方の通信を行うことができる。また、赤外線通信と異なり直線指向性を持たず、遮蔽物が存在しても通信を行うことができる。Ｂｌｕｅｔｏｏｔｈモジュールは、後述するハンズフリー装置１００にも内蔵されている。
【００１０】
携帯電話機設置台１は、携帯電話機３０，４０を設置するための台であり、図２に示すように、助手席側に設けられているグローブボックス内や、運転席と助手席との間に設けられているセンタコンソール内に設置される。図１では、携帯電話機３０が携帯電話機設置台１に設置され、携帯電話機４０が携帯電話機設置台１の外に置かれている状態が図示されている。
【００１１】
図３（ａ）は、携帯電話機設置台１を上から見た図、図３（ｂ）は、図３（ａ）に示す携帯電話機設置台１をラインＡで切断して横から見た断面図である。携帯電話機設置台１は、Ｂｌｕｅｔｏｏｔｈ無線接続を行うためのアンテナ２と、電波吸収体３と、携帯電話検出器４と、携帯電話ホルダ５とを備える。アンテナ２は、携帯電話機設置台１に取り付けられており、図３（ａ），図３（ｂ）に示す無線信号受信  可能エリア５０のような無線受信特性を有する。すなわち、携帯電話機設置台１の水平方向に広いアンテナ指向性を有し、垂直方向の受信特性は低い（図３（ｂ）参照）。特に、水平方向の無線信号受信可能エリア５０は、携帯電話機設置台１に設置される携帯電話機３０を覆うが、携帯電話機設置台１の外部までは広がらない範囲とする。
【００１２】
上述したアンテナ２の無線受信特性を実現するために、一実施の形態におけるハンズフリー電話装置では、アンテナ２として、スリーブアンテナまたはコリニアアンテナを使用する。この場合、水平方向の無線受信範囲が、図３（ａ），図３（ｂ）に示すように、携帯電話機設置台１の全長程度になるように利得を調整する。これにより、アンテナ２は、携帯電話機設置台１の周囲に存在する携帯電話機からの無線信号よりも携帯電話機設置台１に設置された携帯電話機からの無線信号を強く受信する。
【００１３】
電波吸収体３は、図３（ａ），図３（ｂ）に示すように、携帯電話機設置台１の外部を覆うように取り付けられており、Ｂｌｕｅｔｏｏｔｈに使用される帯域の電波を吸収する。電波吸収体３が設けられることにより、携帯電話機設置台１の外にある携帯電話機４０からアンテナ２に到達するＢｌｕｅｔｏｏｔｈ無線信号を大幅に減衰させることができる。同様に、アンテナ２を介して送信されるＢｌｕｅｔｏｏｔｈ無線信号が携帯電話機設置台１の外に放射される量を減衰させることができる。
【００１４】
携帯電話ホルダ５は、携帯電話機３０を携帯電話機設置台１に固定するためのものである。携帯電話検出器４は、携帯電話ホルダ５に組み込まれており、携帯電話機３０が携帯電話ホルダ５に設置されたことを検出する。すなわち、乗員により携帯電話機３０が携帯電話ホルダ５に設置されると、図示しないスイッチがＯＮとなり、携帯電話機３０が設置されたことを検出する。携帯電話検出器４により携帯電話機３０が携帯電話機設置台１に設置されたことが検出されると、検出結果が後述するハンズフリー装置１００の制御部１１に送信される。
【００１５】
ハンズフリー装置１００は、制御部１１と、Ｂｌｕｅｔｏｏｔｈ無線部１２と、記憶媒体１３と、一時記憶媒体１４とを備える。アンテナ２と接続線にて接続されているＢｌｕｅｔｏｏｔｈ無線部１２は、上述したＢｌｕｅｔｏｏｔｈモジュールを備え、同じくＢｌｕｅｔｏｏｔｈモジュールを内蔵している携帯電話機３０，４０とＢｌｕｅｔｏｏｔｈ無線通信を行う。Ｂｌｕｅｔｏｏｔｈ無線部１２は、ハンズフリー電話装置全体の制御を行う制御部１１と接続されており、Ｂｌｕｅｔｏｏｔｈ無線通信を行っている携帯電話機からの通話音声信号等のデータを制御部１１に送信する。また、アンテナ２を介して、複数の携帯電話機からＢｌｕｅｔｏｏｔｈ無線信号を検知した時には、各携帯電話機ごとのＢｌｕｅｔｏｏｔｈ無線信号の無線信号強度を検知して、制御部１１に通知する。
【００１６】
記憶媒体１３は、例えばＲＯＭであり、ハンズフリー装置１００に接続する携帯電話機を登録する。従って、乗員は、ハンズフリー通話を行うために使用する携帯電話機を予め登録しておく必要がある。一時記憶媒体１４は、例えばＲＡＭであり、Ｂｌｕｅｔｏｏｔｈ無線部１２により検知されて制御部１１に通知される各携帯電話機ごとのＢｌｕｅｔｏｏｔｈ無線信号の強度を一時的に記憶する。
【００１７】
図４は、制御部１１により行われる処理内容を示す一実施の形態のフローチャートである。ステップＳ１０から始まる処理は、乗員が携帯電話機３０を携帯電話機設置台１の携帯電話ホルダ５に設置することにより始まる。ステップＳ１０では、携帯電話検出器４により、携帯電話機３０が携帯電話ホルダ５に設置されたか否かを判定する。携帯電話機３０が携帯電話ホルダ５に設置されたと判定するとステップＳ２０に進み、設置されていないと判定すると設置されるまでステップＳ１０で待機する。
【００１８】
ステップＳ２０では、制御部１１が備えている図示しないタイマをスタートさせるとともに、Ｂｌｕｅｔｏｏｔｈプロトコルにより、装置検出手順を実行する。装置検出手順とは、ハンズフリー装置１００と携帯電話３０，４０との間で、アンテナ２を介してＢｌｕｅｔｏｏｔｈ無線通信のリンクが張られているか否かを検出する手順である。すなわち、Ｂｌｕｅｔｏｏｔｈ無線部１２およびアンテナ２を介して、Ｂｌｕｅｔｏｏｔｈ無線通信により接続の可能性を周囲に問い合わせ、携帯電話機から応答があった場合に、無線通信のリンクが張られていると判定する。タイマをスタートさせるとともに、装置検出手順を実行すると、ステップＳ３０に進む。
【００１９】
ステップＳ３０では、ステップＳ２０で開始された装置検出手順が実行されることにより応答があった携帯電話機について、携帯電話機の識別情報であるＢｌｕｅｔｏｏｔｈデバイス・アドレスと携帯電話機の無線信号強度とを対応付けて、一時記憶媒体１４に記憶する。従って、応答してきた携帯電話機が複数存在する場合には、各携帯電話機のＢｌｕｅｔｏｏｔｈデバイス・アドレスと無線信号強度とが一時記憶媒体１４に記憶される。一方、ハンズフリー装置１００からの問い合わせに対して、応答がなかった場合には、そのままステップＳ４０に進む。ここでは、携帯電話ホルダ５に設置されている携帯電話機３０および携帯電話機設置台１の外に存在する携帯電話機４０から応答があったものとして説明を続ける。
【００２０】
ステップＳ３０に続くステップＳ４０では、ステップＳ２０でスタートさせたタイマが所定時間を経過したか否かを判定する。所定時間を経過していないと判定するとステップＳ３０に戻る。すなわち、タイマが所定時間を経過するまでの間、装置検出手順によりハンズフリー装置１００との間でＢｌｕｅｔｏｏｔｈ無線通信のリンクが張られる携帯電話機を検出する。ステップＳ４０の判定において、所定時間を経過したと判定すると、ステップＳ５０に進む。
【００２１】
ステップＳ５０では、上述した装置検出手順が実行されることにより、応答してきた携帯電話機が存在するか否かを判定する。応答してきた携帯電話機が存在すると判定するとステップＳ６０に進み、存在しないと判定するとステップＳ１０に戻る。ステップＳ６０では、応答してきた携帯電話機が予め記憶媒体１４に登録されている携帯電話機であるか否かを判定する。この判定は、上述したように、応答してきた携帯電話機のＢｌｕｅｔｏｏｔｈデバイス・アドレスが一時記憶媒体１４に記憶されるので、このＢｌｕｅｔｏｏｔｈデバイス・アドレスと記憶媒体１４に予め登録されているＢｌｕｅｔｏｏｔｈデバイス・アドレスとが一致するか否かにより行う。応答してきた携帯電話機が予め記憶媒体１４に登録されている携帯電話機であると判定するとステップＳ７０に進み、登録されていない携帯電話機であると判定すると、ステップＳ１０に戻る。
【００２２】
なお、装置検出手順が実行されることによって応答してきた携帯電話機が複数存在する場合には、少なくとも１つの携帯電話機が記憶媒体１４に登録されている携帯電話機であれば、ステップＳ７０に進む。ただし、記憶媒体１４に登録されていない携帯電話機は、ハンズフリー装置１００に接続する携帯電話機の対象から外す処理を行う。
【００２３】
ステップＳ７０では、装置検出手順が実行されることによって応答があり、かつ、記憶媒体１４に登録されている携帯電話機が複数存在するか否かを判定する。複数存在すると判定するとステップＳ８０に進み、１台しか存在しないと判定するとステップＳ９０に進む。ステップＳ８０では、一時記憶媒体１４に記憶されている複数の無線信号強度のうち、最も強度の強い携帯電話機を特定する。
【００２４】
上述したように、アンテナ２は、携帯電話機設置台１に設置されている携帯電話機３０からの無線信号を強く受信する受信特性を有しており、さらに、携帯電話機設置台１の周囲には電波吸収体３が設けられている。従って、アンテナ２が受信する無線信号の強度は、携帯電話機設置台１に設置されている携帯電話機３０からの無線信号強度が最も強く、携帯電話機設置台１の外に存在する携帯電話機４０からの無線信号強度は弱い。最も無線信号強度の強い携帯電話機３０を特定すると、ステップＳ９０に進む。
【００２５】
ステップＳ９０では、１台の携帯電話機とハンズフリー装置１００との間でＢｌｕｅｔｏｏｔｈ無線通信の接続を行う。すなわち、ステップＳ７０の判定において、応答があり、かつ、記憶媒体１４に登録されている携帯電話機が１台しか存在しないと判定された場合には、その１台の携帯電話機との間でＢｌｕｅｔｏｏｔｈ無線通信の接続を行う。一方、ステップＳ７０の判定において、複数の携帯電話機が存在すると判定された場合には、ステップＳ８０の処理において特定された１台の携帯電話機との間でＢｌｕｅｔｏｏｔｈ無線通信の接続を行う。すなわち、携帯電話機設置台１の周囲に携帯電話機が存在するか否かに関わらず、利用者が携帯電話機設置台１に設置した携帯電話機とハンズフリー装置１００との間でＢｌｕｅｔｏｏｔｈ無線通信の接続が行われる。携帯電話機とハンズフリー装置１００との間でＢｌｕｅｔｏｏｔｈ無線通信の接続が行われると、乗員は、ハンズフリーにて通話を行うことができる。
【００２６】
以上、一実施の形態におけるハンズフリー電話装置によれば、ハンズフリー機能を備えＢｌｕｅｔｏｏｔｈ無線通信を介して携帯電話機と無線接続することによりハンズフリー通話を可能とするハンズフリー装置１００と、ハンズフリー通話に使用する携帯電話機を設置するための携帯電話設置台１と、携帯電話設置台１に設置されていない携帯電話機からの無線信号よりも携帯電話設置台１に設置された携帯電話機からの無線信号を強く受信する受信特性を有するアンテナ２とを備える。ハンズフリー装置１００は、アンテナ２により受信された無線信号が複数存在する場合に、最も無線信号強度が強い携帯電話機を選択し、選択した携帯電話機とＢｌｕｅｔｏｏｔｈ無線通信を介して無線接続する。これにより、利用者は、ハンズフリー通話に使用する携帯電話機を携帯電話機設置台１に設置するだけで、ハンズフリー通話を行うことができるので、利用者の利便性を向上させることができる。従って、従来のハンズフリー電話装置のように、ハンズフリー通話に使用する携帯電話機の優先順位を事前に登録・変更する必要はない。
【００２７】
また、一実施の形態におけるハンズフリー電話装置では、携帯電話機設置台１に設置される携帯電話機の周囲を覆うように電波吸収体３を設け、アンテナ２を電波吸収体３に囲まれた内部に設けた。これにより、携帯電話機設置台１に設置されていない携帯電話機からの無線信号よりも携帯電話機設置台１に設置された携帯電話機からの無線信号を強く受信する受信特性を有するアンテナ２の受信特性をさらに顕著なものとすることができる。従って、携帯電話機設置台１の周囲に他の携帯電話機が存在する場合でも、携帯電話機設置台１に設置された携帯電話機とハンズフリー装置１００との間で確実にＢｌｕｅｔｏｏｔｈ無線通信による無線接続を行うことができる。
【００２８】
一実施の形態におけるハンズフリー電話装置では、携帯電話検出器４により、携帯電話機が携帯電話機設置台１に設置されたことが検出されると、ハンズフリー装置１００と携帯電話機との無線接続を行う処理を開始するので、利用者の意図に反して、携帯電話機設置台１に設置されていない携帯電話機とハンズフリー装置１００との間で無線接続が行われることを防ぐことができる。
【００２９】
本発明は、上述した一実施の形態に限定されることはない。例えば、アンテナ２としてスリーブアンテナまたはコリニアアンテナを使用する例について説明したが、携帯電話機設置台１の周囲に存在する携帯電話機からの無線信号よりも携帯電話機設置台１に設置された携帯電話機からの無線信号を強く受信する受信特性を有するアンテナであれば、他のアンテナを用いてもよい。
【００３０】
また、ハンズフリー装置１００と携帯電話機との間で無線通信を行う近距離無線通信方式としてＢｌｕｅｔｏｏｔｈを採用した例について説明したが、ＩＥＥＥ８０２．１１ｂなどの他の通信規格による通信方式を採用してもよい。
【００３１】
特許請求の範囲の構成要素と一実施の形態の構成要素との対応関係は次の通りである。すなわち、ハンズフリー装置１００が制御手段および選択手段を、携帯電話機設置台１が設置手段を、アンテナ２が無線信号受信手段を、電波吸収体３が電波吸収手段を、携帯電話検出器４が携帯電話検出手段をそれぞれ構成する。なお、本発明の特徴的な機能を損なわない限り、各構成要素は上記構成に限定されるものではない。
【図面の簡単な説明】
【図１】本発明によるハンズフリー電話装置の一実施の形態の構成を示す図
【図２】携帯電話機設置台の設置場所の一例を示す図
【図３】図３（ａ）は、携帯電話機設置台を上から見た図、図３（ｂ）は、図３（ａ）に示す携帯電話機をラインＡで切断して横から見た断面図
【図４】制御部により行われる処理内容を示す一実施の形態のフローチャート
【符号の説明】
１…携帯電話機設置台、２…アンテナ、３…電波吸収体、４…携帯電話検出器、５…携帯電話ホルダ、１１…制御部、１２…Ｂｌｕｅｔｏｏｔｈ無線部、１３…記憶媒体、１４…一時記憶媒体、３０，４０…携帯電話機、５０…無線信号受信可能エリア、１００…ハンズフリー装置
【図１】
2004304290.tif 000003
【図２】
2004304290.tif 000004
【図３】
2004304290.tif 000005
【図４】
2004304290.tif 000006